(57)【要約】【課題】複数のコンテンツを快適に利用する方法を提供する。【解決手段】複数コンテンツの識別情報及び前記複数コンテンツの再生順序の情報を含む再生リストを取得する取得部と、前記再生リストに含まれるコンテンツの再生順序に従って、各コンテンツを再生する再生部と、前記再生リストにおける再生順序が第１番目であるコンテンツデータを格納する第１格納部と、他の装置から取得したコンテンツデータを格納する第２格納部とを有し、前記取得部は、前記再生リストに基づいて前記第１格納部に格納された前記コンテンツデータの再生中であって前記再生リストに基づく第２番目のコンテンツデータが前記第２格納部に格納されていなければ、前記他の装置に対してコンテンツデータの取得を行うことを特徴とする情報処理装置とした。【選択図】図２
2010093678.tif 000002
【特許請求の範囲】
【請求項１】
複数コンテンツの識別情報及び前記複数コンテンツの再生順序の情報を含む再生リストを取得する取得部と、
前記再生リストに含まれるコンテンツの再生順序に従って、各コンテンツを再生する再生部と、
前記再生リストにおける再生順序が第１番目であるコンテンツデータを格納する第１格納部と、
他の装置から取得したコンテンツデータを格納する第２格納部とを有し、
前記取得部は、前記再生リストに基づいて前記第１格納部に格納された前記コンテンツデータの再生中であって前記再生リストに基づく第２番目のコンテンツデータが前記第２格納部に格納されていなければ、前記他の装置に対してコンテンツデータの取得を行う
ことを特徴とする情報処理装置。
【請求項２】
複数コンテンツの識別情報、前記複数コンテンツの再生順序、及び、再生順序が第１番目であるコンテンツのデータを含む再生リストを取得する取得部と、
前記再生リストに含まれるコンテンツの再生順序に従って、各コンテンツを再生する再生部と、
他の装置から取得したコンテンツデータを格納する格納部とを有し、
前記取得部は、前記再生リストに格納された前記第１番目のコンテンツデータの再生中であって前記再生リストに基づく次に再生されるコンテンツデータが前記格納部に格納されていなければ、前記他の装置に対してコンテンツデータの取得を行う
ことを特徴とする情報処理装置。
【請求項３】
情報処理装置が、
複数コンテンツの識別情報及び前記複数コンテンツの再生順序の情報を含む再生リストを取得するステップと、
前記再生リストに含まれるコンテンツの再生順序に従って、各コンテンツを再生するステップと、
前記再生リストにおける再生順序が第１番目であるコンテンツデータを格納するステップと、
他の装置から取得したコンテンツデータを格納するステップと、
前記再生リストに基づいて、格納された前記再生リストにおける再生順序が第１番目であるコンテンツデータの再生中であって前記再生リストに基づく第２番目のコンテンツデータが格納されていなければ、前記他の装置に対してコンテンツデータの取得を行うステップと、
を実行するコンテンツ再生方法。
【請求項４】
情報処理装置に、
複数コンテンツの識別情報及び前記複数コンテンツの再生順序の情報を含む再生リストを取得するステップと、
前記再生リストに含まれるコンテンツの再生順序に従って、各コンテンツを再生するステップと、
前記再生リストにおける再生順序が第１番目であるコンテンツデータを格納するステップと、
他の装置から取得したコンテンツデータを格納するステップと、
前記再生リストに基づいて、格納された前記再生リストにおける再生順序が第１番目であるコンテンツデータの再生中であって前記再生リストに基づく第２番目のコンテンツデータが格納されていなければ、前記他の装置に対してコンテンツデータの取得を行うステップと、
を実行させるコンテンツ再生プログラム。
【発明の詳細な説明】
【技術分野】
【０００１】
本件は、再生リストに基づきコンテンツを再生する情報処理装置、コンテンツ再生方法、コンテンツ再生プログラムに関する。
【背景技術】
【０００２】
携帯電話の通信速度の向上に伴い、音楽データを短時間にダウンロードすることが可能となっている。また、携帯電話会社と契約する通信料金タイプを選択することにより、一定料金でパケットデータ通信を無制限に使うことが出来るようにもなっている。
【０００３】
これに伴い、携帯電話の利用者は、数多くの音楽データや映像を携帯電話にダウンロードして保存しようとすることがある。
【特許文献１】特開２００４−３５４７４６号公報
【特許文献２】特開２００７−１５８４７７号公報
【発明の開示】
【発明が解決しようとする課題】
【０００４】
携帯電話に記録できる容量には制限があり、数多くの音楽データや映像を保存したい利用者の要求を満足できないことがあった。そこで、携帯電話に音楽データ等を保存せずに、音楽データ等を利用する毎にサーバからダウンロードして音楽データを利用する技術がある。さらに、携帯電話の２面のバッファを交互に使用してネットワークから音楽データをダウンロードすることにより、再生までの待ち時間を短くする技術がある。
【０００５】
しかしながら、携帯電話に音楽データ等を保存しない場合、利用者は、最初の音楽データを利用するまでに、ダウンロードする時間、待機しなければならない。また、公共機関での移動中などの電波状況が悪い状態では、最初の音楽データをダウンロードする時間が長くなり、最初の音楽データ等が利用できるまでの時間が長くなる。
【０００６】
本件は、音楽等を再生する装置において、ユーザが音楽データ等のコンテンツを快適に利用する方法を提供することを課題とする。
【課題を解決するための手段】
【０００７】
開示の実施形態は、上記課題を解決するために、以下の手段を採用する。
【０００８】
即ち、第１の態様は、
複数コンテンツの識別情報及び前記複数コンテンツの再生順序の情報を含む再生リストを取得する取得部と、
前記再生リストに含まれるコンテンツの再生順序に従って、各コンテンツを再生する再生部と、
前記再生リストにおける再生順序が第１番目であるコンテンツデータを格納する第１格納部と、
他の装置から取得したコンテンツデータを格納する第２格納部とを有し、
前記取得部は、前記再生リストに基づいて前記第１格納部に格納された前記コンテンツデータの再生中であって前記再生リストに基づく第２番目のコンテンツデータが前記第２格納部に格納されていなければ、前記他の装置に対してコンテンツデータの取得を行う
ことを特徴とする情報処理装置とした。
【０００９】
第２の態様は、
複数コンテンツの識別情報、前記複数コンテンツの再生順序、及び、再生順序が第１番目であるコンテンツのデータを含む再生リストを取得する取得部と、
前記再生リストに含まれるコンテンツの再生順序に従って、各コンテンツを再生する再生部と、
他の装置から取得したコンテンツデータを格納する格納部とを有し、
前記取得部は、前記再生リストに格納された前記第１番目のコンテンツデータの再生中であって前記再生リストに基づく次に再生されるコンテンツデータが前記格納部に格納されていなければ、前記他の装置に対してコンテンツデータの取得を行う
ことを特徴とする情報処理装置とした。
【００１０】
第３の態様は、
情報処理装置が、
複数コンテンツの識別情報及び前記複数コンテンツの再生順序の情報を含む再生リストを取得するステップと、
前記再生リストに含まれるコンテンツの再生順序に従って、各コンテンツを再生するステップと、
前記再生リストにおける再生順序が第１番目であるコンテンツデータを格納するステップと、
他の装置から取得したコンテンツデータを格納するステップと、
前記再生リストに基づいて、格納された前記再生リストにおける再生順序が第１番目であるコンテンツデータの再生中であって前記再生リストに基づく第２番目のコンテンツデータが格納されていなければ、前記他の装置に対してコンテンツデータの取得を行うステップと、
を実行するコンテンツ再生方法とした。
【００１１】
第４の態様は、
情報処理装置に、
複数コンテンツの識別情報及び前記複数コンテンツの再生順序の情報を含む再生リストを取得するステップと、
前記再生リストに含まれるコンテンツの再生順序に従って、各コンテンツを再生するステップと、
前記再生リストにおける再生順序が第１番目であるコンテンツデータを格納するステップと、
他の装置から取得したコンテンツデータを格納するステップと、
前記再生リストに基づいて、格納された前記再生リストにおける再生順序が第１番目であるコンテンツデータの再生中であって前記再生リストに基づく第２番目のコンテンツデータが格納されていなければ、前記他の装置に対してコンテンツデータの取得を行うステップと、
を実行させるコンテンツ再生プログラムとした。
【発明の効果】
【００１２】
開示の態様によれば、音楽等を再生する装置において、ユーザが音楽データ等のコンテンツを快適に利用する方法を提供することができる。
【発明を実施するための最良の形態】
【００１３】
以下、図面を参照して実施形態について説明する。実施形態の構成は例示であり、開示の実施形態の構成に限定されない。
【００１４】
〔実施形態〕
（構成例）
図１は、本実施形態のネットワーク構成の例を示す図である。図１に示すネットワーク構成は、ネットワーク１００に接続されたコンテンツサーバ２００、ネットワーク１００に接続された無線基地局３００、無線基地局３００を通じてネットワーク１００と通信をする携帯端末４００を含む。
【００１５】
コンテンツサーバ２００は、音楽等を含む音響データ、動画像データ、静止画像データ等のコンテンツのデータを格納するコンテンツサーバとして機能し得る。
【００１６】
無線基地局３００は、携帯端末４００とネットワーク１００との通信を中継する。
【００１７】
携帯端末４００は、無線基地局３００と無線で通信される。携帯端末４００は、無線基地局３００を経由して、コンテンツサーバ２００等のネットワーク上の装置と通信することができる。
【００１８】
図１のネットワーク構成例は、携帯端末４００とコンテンツサーバ２００とが無線で通信される構成例であるが、携帯端末４００とコンテンツサーバ２００とが有線で通信されてもよい。
【００１９】
図２は、携帯端末の構成例を示す図である。図２の携帯端末４００は、ＣＰＵ４１０、プログラムの実装等をするメモリ４２０、機能ブロック４３０、表示画面装置４６０、キー４７０、スピーカー４８０を有する。図２の携帯端末４００の機能ブロック４３０は、コンテンツ管理部４３２、コンテンツダウンロード部４３４、呼制御部４３６、無線制御部４３８、再生リスト管理部４４０、表示画面制御部４４２、キー制御部４４４、再生リスト再生部４４８、コンテンツ格納部４５０を有する。これらの処理部のうち、任意の複数を、１つの処理部としてもよい。また、これらの処理部のうち任意の１つが、複数の処理部としての処理を行ってもよい。これらの各処理部は、ハードウェアとしても、ソフトウェアとしても実現され得る。以後に記載される構成要素についても同様である。
【００２０】
携帯端末４００は、無線制御部４３８等によって無線で通信される代わりに、他の手段により他の装置と通信されてもよい。
【００２１】
ＣＰＵ４１０は、機能ブロック４３０等の各機能を実行する。ＣＰＵ４１０は、携帯端末４００の各構成要素を制御する。
【００２２】
メモリ４２０は、ＣＰＵ４１０で実行されるプログラムを格納する。また、メモリ４２０は、プログラム等で使用するデータを格納し得る。メモリ４２０は、携帯端末４００の内部メモリであっても、携帯端末４００に接続される外部メモリであってもよい。
【００２３】
表示画面装置４６０は、再生リストの表示、再生リストを操作する画面の表示、動画像の表示、静止画像の表示等を行う。表示画面装置４６０は、携帯端末４００の内部装置であっても、携帯端末４００に接続される外部装置であってもよい。
【００２４】
キー４７０は、ユーザによるキー入力を受け付ける。ユーザは、キー４７０を操作することにより、再生リストの実行、停止等を、携帯端末４００に、指示することができる。キー４７０は、携帯端末４００の内部装置であっても、携帯端末４００に接続される外部装置であってもよい。
【００２５】
スピーカー４８０は、音楽等の音響データの出力を行う。スピーカー４８０は、携帯端末４００の内部装置であっても、携帯端末４００に接続されるヘッドホン等の外部装置であってもよい。
【００２６】
コンテンツ管理部４３２は、コンテンツの再生に必要なコンテンツのデータをダウンロードすることをコンテンツダウンロード部４３４に指示する。コンテンツ管理部４３２は、コンテンツの再生を再生リスト再生部４４８に指示する。
【００２７】
コンテンツダウンロード部４３４は、コンテンツ管理部４３２からの指示に基づき、指示されたコンテンツのデータをコンテンツサーバ２００からダウンロードする。コンテンツダウンロード部４３４は、ダウンロードしたコンテンツのデータをコンテンツ格納部４５０に格納する。
【００２８】
コンテンツ格納部４５０は、ダウンロード等により取得されたコンテンツの音響データ、動画像データ、静止画像データ等を、格納する。コンテンツ格納部４５０は、少なくとも、第１番目に再生されるコンテンツを保存するエリア、第１コンテンツダウンロードエリア、及び、第２コンテンツダウンロードエリアの３つの記録エリアを、有する。コンテンツ格納部４５０は、携帯端末４００の内部メモリ、又は、携帯端末４００によって読み書き可能な記録媒体等によって、実現され得る。コンテンツ格納部４５０の３つの記録エリアは、それぞれ異なる記憶手段によって実現されてもよい。第１番目に再生されるコンテンツを保存するエリアは、再生リスト上の第１番目に再生されるコンテンツを格納する。第１番目に再生されるコンテンツを保存するエリアは、再生リストの第１番目に再生されるコンテンツだけではなく、第２番目以降に再生されるコンテンツを、格納してもよい。第１番目に再生されるコンテンツを保存するエリアは、再生リストと一体となってもよい。
【００２９】
呼制御部４３６は、コンテンツサーバ２００等の通信先の装置までの呼を制御する。
【００３０】
無線制御部４３８は、無線基地局３００と携帯端末４００との間の無線通信を制御する。
【００３１】
再生リスト管理部４４０は、再生リストを格納し、管理する。再生リスト管理部４４０は、ユーザの操作によるキー入力の情報を、キー制御部４４４から受信する。再生リスト管理部４４０は、再生リスト等を表示画面装置４６０に表示することを表示画面制御部４４２に指示する。再生リスト管理部４４０は、キー入力等によるユーザからの指示により、再生リストを実行することができる。再生リスト管理部４４０は、再生リストの実行の際に必要なコンテンツをダウンロードしてコンテンツを再生することを、コンテンツ管理部４３２に指示する。再生リストは、携帯端末４００の内部メモリ、携帯端末４００で読み書き可能な記録媒体等に格納されてもよい。再生リスト管理部４４０は、他の構成要素に格納された再生リストを読み込んで、管理してもよい。
【００３２】
表示画面制御部４４２は、表示画面装置４６０を制御する。表示画面制御部４４２は、再生リスト等を表示画面装置４６０に表示させることができる。
【００３３】
キー制御部４４４は、キー４７０へのキー入力の情報を受信する。キー制御部４４４は、キー入力の情報を再生リスト管理部４４０に通知する。
【００３４】
再生リスト再生部４４８は、コンテンツ管理部４３２から指示されたコンテンツの再生を行う。再生リスト再生部４４８は、コンテンツ格納部４５０から、再生するコンテンツを読み出す。再生リスト再生部４４８は、再生されるコンテンツが音楽等の音響データである場合は、スピーカー４８０に当該音響の出力をさせることができる。再生リスト再生部４４８は、再生されるコンテンツが動画像、静止画像等である場合、再生に必要なスピーカー４８０、表示画面装置４６０等に、それぞれ、音響の出力、動画像又は静止画像の
表示等をさせることができる。
【００３５】
図３は、再生リストの例を示す図である。再生リスト（プレイリスト）は、ユーザが再生を希望するコンテンツのセットである。再生リストは、ユーザが再生を希望する各コンテンツの識別情報と、ユーザが希望するコンテンツの再生の順序の情報とを、含む。再生リストは、コンテンツ毎に当該コンテンツの提供元のアドレスを有してもよい。再生リストのコンテンツは、当該再生リストにおいて複数回再生されるようにされていてもよい。
【００３６】
図３の再生リストは、コンテンツＡ、コンテンツＢ、コンテンツＣ、及び、コンテンツＤの識別情報を含む。また、図３の再生リストは、第１番目にコンテンツＡ、第２番目にコンテンツＢ、第３番目にコンテンツＣ、第４番目にコンテンツＤが再生されるというコンテンツの再生の順序の情報を含む。
【００３７】
携帯端末４００は、複数の再生リストを有することが可能である。再生リストは、第１番目に再生されるコンテンツのデータを含むことができる。再生リストに第１番目に再生されるコンテンツのデータが含まれる場合、第１番目に再生されるコンテンツのデータは、  再生リストから読み出される。
【００３８】
図４は、携帯端末の再生リストとコンテンツ格納部の例を示す図である。
【００３９】
図４の携帯端末４００のコンテンツ格納部４５０の第１番目に再生されるコンテンツを保存するエリアは、再生リストの第１番目に再生されるコンテンツであるコンテンツＡを格納する。コンテンツ格納部４５０の第１番目に再生されるコンテンツを保存するエリアは、さらに、再生リストの第２番目に再生されるコンテンツ（コンテンツＢ、コンテンツＣ等）を格納してもよい。
【００４０】
コンテンツ格納部４５０の第１コンテンツダウンロードエリア及び第２コンテンツダウンロードエリアは、再生リストに基づいて、コンテンツサーバ２００等からダウンロードされた、次に再生されるコンテンツのデータを格納する。
【００４１】
（動作例）
図５及び図６は、再生リスト実行時の動作フローの例を示す図である。図５の「Ａ１」、「Ａ２」及び「Ａ３」は、それぞれ、図６の「Ａ１」、「Ａ２」及び「Ａ３」に接続する。
【００４２】
ユーザは、あらかじめ、再生リストを携帯端末４００に準備する。また、再生リストに含まれるコンテンツのうち第１番目に再生されるコンテンツのデータは、コンテンツ格納部４５０の第１番目に再生されるコンテンツを保存するエリアに格納されている。
【００４３】
第１番目に再生されるコンテンツのデータは、コンテンツサーバ２００からダウンロード、直接接続したコンピュータから取り込み、又は、携帯端末４００で読み込み可能な記録媒体から取り込み等によりあらかじめ準備される。
【００４４】
ここでは、図３の再生リストが実行されるとする。
【００４５】
ユーザが、キー４７０へのキー入力により再生リストの実行を指示する。キー制御部４４４は、キー４７０へのキー入力の情報を受信する。キー制御部４４４は、キー入力の情報を再生リスト管理部４４０に通知する。再生リスト管理部４４０は、ユーザの操作によるキー入力による再生リストの実行の指示を受信すると、再生リストのコンテンツのうち、第１番目に再生されるコンテンツの再生をコンテンツ管理部４３２に指示する。コンテ
ンツ管理部４５２は、再生リスト再生部４４８に、第１番目に再生されるコンテンツの再生を指示する。再生リスト再生部４４８は、指示されたコンテンツのデータを、コンテンツ格納部４５０の第１番目に再生されるコンテンツを保存するエリアから、読み出す。再生リスト再生部４４８は、第１番目に再生されるコンテンツを、スピーカー４８０等を利用して出力する（Ｓ１０２）。
【００４６】
再生リスト管理部４４０は、次に再生されるコンテンツがコンテンツ格納部４５０に格納されているか否かを確認する（Ｓ１０４）。再生リスト管理部４４０は、コンテンツ格納部４５０のいずれかの記録エリアに、第２番目に再生されるコンテンツが格納されているか否かを確認する。第２番目に再生されるコンテンツがコンテンツ格納部４５０のいずれかの記録エリアに格納されている場合（Ｓ１０６；ＹＥＳ）、ステップＳ１１６に進む。第２番目に再生されるコンテンツがコンテンツ格納部４５０のいずれかの記録エリアに格納されていない場合（Ｓ１０６；ＮＯ）、記録エリアのコンテンツが再生されている最中か否かを確認する（Ｓ１０８）。
【００４７】
コンテンツ管理部４３２は、第１コンテンツダウンロードエリアのコンテンツが再生されている最中か否かを確認する（Ｓ１１０）。
【００４８】
第１コンテンツダウンロードエリアのコンテンツが再生されている最中である場合（Ｓ１１０；ＹＥＳ）、コンテンツ管理部４３２は、確認する記録エリアを第２コンテンツダウンロードエリアに切り替える（Ｓ１１２）。コンテンツ管理部４３２は、第２コンテンツダウンロードエリアのコンテンツが再生されている最中か否かを確認する（Ｓ１０８，Ｓ１１０）。
【００４９】
確認した記録エリアのコンテンツが再生されている最中でない場合（Ｓ１１０；ＮＯ）、コンテンツ管理部４３２は、再生リストに従い、次に再生されるコンテンツをダウンロードすることを、コンテンツダウンロード部４３４に指示する。コンテンツダウンロード部４３４は、呼制御部４３６、無線制御部４３８を使用して、次に再生されるコンテンツのデータを、コンテンツサーバ２００からダウンロードする（Ｓ１１４）。コンテンツダウンロード部４３４は、ダウンロードしたコンテンツのデータを、ステップＳ１１０で確認した記録エリアに、格納する。
【００５０】
再生リスト管理部４４０は、現在再生中のコンテンツの再生が終了したか否かを確認する（Ｓ１１６）。現在再生中のコンテンツの再生がまだ終了していない場合、再生リスト管理部４４０は、再生終了まで待機する（Ｓ１１６；ＮＯ）。
【００５１】
現在再生中のコンテンツの再生が終了した場合（Ｓ１１６；ＹＥＳ）、再生リスト管理部４４０は、再生が終了したコンテンツを、コンテンツ格納部４５０から削除する。但し、再生が終了したコンテンツが第１番目に再生されるコンテンツを保存するエリアに保存されているコンテンツである場合、再生リスト管理部４４０は当該コンテンツを削除しない。
【００５２】
次に、再生リスト管理部４４０は、ステップＳ１１４でダウンロードしたコンテンツを再生することを、再生リスト再生部４４８に指示する。再生リスト再生部４４８は、指示されたコンテンツのデータを、コンテンツ格納部４５０から、読み出す。再生リスト再生部４４８は、読み出したコンテンツを、スピーカー４８０等を利用して出力する（Ｓ１１８）。
【００５３】
ステップＳ１０４に戻って、再生リスト管理部４４０は、さらに次に再生されるコンテンツがコンテンツ格納部４５０に格納されているか否かを確認する（Ｓ１０４）。以下、
上記と同様の手順に従って、再生リストにあるコンテンツが、再生リストに従ってコンテンツサーバ２００からダウンロードされ再生される。
【００５４】
図７は、コンテンツの再生とダウンロードのタイミングチャートの例を示す図である。図７の横軸は、時間軸を示す。図７の縦軸は、各記憶エリアを示す。
【００５５】
ここでは、図３の再生リストが実行されるとする。
【００５６】
ユーザにより再生リストの実行が指示されると、直ちに、第１番目に再生されるコンテンツであるコンテンツＡのデータが第１番目に再生されるコンテンツを保存するエリアから読み出され、コンテンツＡが再生される。また、コンテンツＡが再生されている間に、第２番目に再生されるコンテンツＢのデータが、第１コンテンツダウンロードエリアにダウンロードされる。仮に、前回に再生リストが実行された際のコンテンツのデータが残っており、当該データを利用できるときは、ダウンロードせずに当該データを使用してもよい。
【００５７】
コンテンツＡの再生が終了すると、第２番目に再生されるコンテンツＢのデータが第１コンテンツダウンロードエリアから読み出され、コンテンツＢが再生される。また、コンテンツＢが再生されている間に、第３番目に再生されるコンテンツＣのデータが、第２コンテンツダウンロードエリアにダウンロードされる。
【００５８】
コンテンツＢの再生が終了すると、第３番目に再生されるコンテンツＣのデータが第２コンテンツダウンロードエリアから読み出され、コンテンツＣが再生される。また、コンテンツＢのデータが第１コンテンツダウンロードエリアから削除される。さらに、コンテンツＣが再生されている間に、第４番目に再生されるコンテンツＤのデータが、第１コンテンツダウンロードエリアにダウンロードされる。
【００５９】
以下、同様に、再生リストに従って、コンテンツのデータのダウンロード、再生、削除が繰り返される。
【００６０】
図８は、コンテンツの再生と各記憶エリアに記憶されるコンテンツのデータの時間変化を示す図である。図８の横軸は、時間軸を示す。図８の縦軸は、携帯端末で再生されるコンテンツ、各記憶エリアに格納されるコンテンツのデータを示す。
【００６１】
ここでは、図３の再生リストが実行されるとする。
【００６２】
ユーザにより再生リストの実行が指示されたとき、直ちにコンテンツＡの再生が開始される。このとき、第１番目に再生されるコンテンツを保存するエリアには、コンテンツＡが格納されている。このエリアに保存されるコンテンツは、削除されない。また、第１ダウンロードエリア及び第２ダウンロードエリアには、原則として、何も格納されていない。
【００６３】
コンテンツＡを再生している間に、第２番目に再生されるコンテンツＢのデータが第１コンテンツダウンロードエリアにダウンロードされる。
【００６４】
コンテンツＡの再生が終了した際、第１コンテンツダウンロードエリアには、コンテンツＢが格納されている。また、第２コンテンツダウンロードエリアには何も格納されていない。
【００６５】
第２番目に再生されるコンテンツＢを再生している間に、第３番目に再生されるコンテ
ンツＣのデータが第２コンテンツダウンロードエリアにダウンロードされる。
【００６６】
コンテンツＢの再生が終了した際、第１コンテンツダウンロードエリアには、コンテンツＢのデータが格納されている。また、第２コンテンツダウンロードエリアには、コンテンツＣのデータが格納されている。
【００６７】
第３番目に再生されるコンテンツＣを再生している間に、コンテンツＢのデータが削除され、第４番目に再生されるコンテンツＤのデータが第１コンテンツダウンロードエリアにダウンロードされる。
【００６８】
コンテンツＣの再生が終了した際、第１コンテンツダウンロードエリアには、コンテンツＤのデータが格納されている。また、第２コンテンツダウンロードエリアには、コンテンツＣのデータが格納されている。
【００６９】
以下、同様に、第１コンテンツダウンロードエリア及び第２コンテンツダウンロードエリアでは、再生リストに従って、各コンテンツのデータのダウンロード、再生、削除が、繰り返される。
【００７０】
（実施形態の作用効果）
本実施形態の構成によると、利用者が再生リストを使って再生を行うと「第１番目に再生されるコンテンツを保存するエリア」のコンテンツは待ち時間０で再生される。また、携帯端末は、第１番目に再生されるコンテンツを再生している間に、次のコンテンツの記録状態を確認して、再生リストの次のコンテンツをダウンロードする。第１番目に再生されるコンテンツの再生が終了すると、ダウンロードされたコンテンツが再生される。また、携帯端末は、さらに次のコンテンツを、再生している記憶エリアとは異なる記憶エリアに、ダウンロードする。
【００７１】
本実施形態の構成によれば、公共交通機関での移動中などの電波状況が悪い状態でも、「第１番目に再生されるコンテンツを保存するエリア」のコンテンツは待ち時間０で再生される。また、第１番目に再生されるコンテンツを再生している間に、再生リストの次のコンテンツをダウンロードすることにより、全コンテンツを利用者の待ち時間なく再生を行うことが出来る。
【００７２】
本実施形態の構成によれば、再生リストの第１番目に再生されるコンテンツのデータのみを保存していればよいので、再生リストのすべてのコンテンツのデータを保存する場合に比べて記憶領域の使用容量の削減になる。
【００７３】
本実施形態の構成によれば、携帯端末の利用者は、再生リストのコンテンツを快適に再生して利用することができる。
【００７４】
〔コンピュータ読み取り可能な記録媒体〕
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【００７５】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような媒体内には、ＣＰＵ、メモリ等のコンピュータを構成する要素を設け、そのＣＰＵにプログラムを実行させてもよい。
【００７６】
また、このような記録媒体のうちコンピュータ等から取り外し可能なものとしては、例えば、フレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。
【００７７】
また、コンピュータ等に固定された記録媒体としてハードディスクやＲＯＭ等がある。
【図面の簡単な説明】
【００７８】
【図１】図１は、ネットワーク構成の例を示す図である。
【図２】図２は、携帯端末の構成例を示す図である。
【図３】図３は、再生リストの例を示す図である。
【図４】図４は、携帯端末の再生リストとコンテンツ格納部の例を示す図である。
【図５】図５は、再生リスト実行時の動作フローの例（１）を示す図である。
【図６】図６は、再生リスト実行時の動作フローの例（２）を示す図である。
【図７】図７は、コンテンツの再生とダウンロードのタイミングチャートの例を示す図である。
【図８】図８は、コンテンツの再生と各記憶エリアに記憶されるコンテンツのデータの時間変化の例を示す図である。
【符号の説明】
【００７９】
１００      ネットワーク
２００      コンテンツサーバ
３００      無線基地局
４００      携帯端末
４１０      ＣＰＵ
４２０      メモリ
４３０      機能ブロック
４３２      コンテンツ管理部
４３４      コンテンツダウンロード部
４３６      呼制御部
４３８      無線制御部
４４０      再生リスト管理部
４４２      表示画面制御部
４４４      キー制御部
４４８      再生リスト再生部
４５０      コンテンツ格納部
４６０      表示画面装置
４７０      キー
４８０      スピーカー
【図１】
2010093678.tif 000003
【図２】
2010093678.tif 000004
【図３】
2010093678.tif 000005
【図４】
2010093678.tif 000006
【図５】
2010093678.tif 000007
【図６】
2010093678.tif 000008
【図７】
2010093678.tif 000009
【図８】
2010093678.tif 000010